【事件の表示】
　特願２０１３−１３３９５３「ＬＥＤ駆動装置、ＬＥＤ駆動方法及びコンピュータ読み取り可能な記録媒体」拒絶査定不服審判事件〔平成２６年　１月２０日出願公開、特開２０１４−　１１４６６〕について、次のとおり審決する。
【結　論】
　本件審判の請求は、成り立たない。
【理　由】
第１　手続の経緯
　本願は、平成２５年６月２６日（パリ条約による優先権主張２０１２年６月２７日（以下「優先日」という。）、韓国）の出願であって、その手続の主な経緯は以下のとおりである。
　平成２９年　３月２４日付け：拒絶理由通知
　平成２９年　６月２８日　　：意見書・手続補正書の提出
　平成２９年１０月　５日付け：拒絶査定（平成２９年１０月１７日送達）
　平成３０年　２月１６日付け：審判請求書、手続補正書の提出
第２　平成３０年２月１６日にされた手続補正についての補正の却下の決定
［補正の却下の決定の結論］
　平成３０年２月１６日にされた手続補正（以下「本件補正」という。）を却下する。
［理由］
１　本件補正について
（１）本件補正後の特許請求の範囲の記載
　本件補正により、特許請求の範囲の請求項１の記載は、次のとおり補正された。（下線部は、補正箇所であり、審判請求人が付したとおりである。）
「　複数のＬＥＤアレイを駆動するＬＥＤ駆動装置であって、
　前記複数のＬＥＤアレイに駆動電圧を提供するＤＣ−ＤＣコンバーターと、
　前記複数のＬＥＤアレイの各々に直列接続され、前記複数のＬＥＤアレイの各々に流れる駆動電流の大きさを可変できる、複数のスイッチング部と、
　前記複数のＬＥＤアレイの各々に対する明るさ情報を受け取り、前記受け取った明るさ情報に基づいて前記複数のＬＥＤアレイの各々の平均駆動電流を計算し、
　前記複数のスイッチング部の各々が予め設定されたヘッドルーム電圧範囲内で動作するように、前記複数のＬＥＤアレイの各々の駆動電流を計算し、
　前記計算された平均駆動電流及び前記計算された駆動電流に基づいて、前記複数のＬＥＤアレイの各々について平均輝度を維持するように、前記複数のＬＥＤアレイの各々に対応するスイッチング部のデューティサイクル（ｄｕｔｙ　ｃｙｃｌｅ）を計算し、
　前記計算された駆動電流及び前記計算されたデューティサイクルに基づいて前記複数のスイッチング部を制御する、制御部と、
　を備え
、
　前記ヘッドルーム電圧範囲は、ディスプレイ装置の動作モードに基づいて変更される、
　
　
（２）本件補正前の特許請求の範囲
　本件補正前の、平成２９年６月２８日にされた手続補正により補正された特許請求の範囲の請求項１の記載は次のとおりである。
「　複数のＬＥＤアレイを駆動するＬＥＤ駆動装置であって、
　前記複数のＬＥＤアレイに駆動電圧を提供するＤＣ−ＤＣコンバーターと、
　前記複数のＬＥＤアレイの各々に直列接続され、前記複数のＬＥＤアレイの各々に流れる駆動電流の大きさを可変できる、複数のスイッチング部と、
　前記複数のＬＥＤアレイの各々に対する明るさ情報を受け取り、前記受け取った明るさ情報に基づいて前記複数のＬＥＤアレイの各々の平均駆動電流を計算し、
　前記複数のスイッチング部の各々が予め設定されたヘッドルーム電圧範囲内で動作するように、前記複数のＬＥＤアレイの各々の駆動電流を計算し、
　前記計算された平均駆動電流及び前記計算された駆動電流に基づいて、前記複数のＬＥＤアレイの各々について平均輝度を維持するように、前記複数のＬＥＤアレイの各々に対応するスイッチング部のデューティサイクル（ｄｕｔｙ　ｃｙｃｌｅ）を計算し、
　前記計算された駆動電流及び前記計算されたデューティサイクルに基づいて前記複数のスイッチング部を制御する、制御部と、
　を備えるＬＥＤ駆動装置。」
２　補正の適否
　本件補正は、本件補正前の請求項１に記載された発明を特定するために必要な事項である、「ヘッドルーム電圧範囲」について、「ディスプレイ装置の動作モードに基づいて変更される」ものであることを特定しようとする限定を付加するものであって、補正前の請求項１に記載された発明と補正後の請求項１に記載される発明の産業上の利用分野及び解決しようとする課題が同一であるから、特許法１７条の２第５項２号の特許請求の範囲の減縮を目的とするものに該当する。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　平成３０年２月１６日にされた手続補正により補正された特許請求の範囲の請求項１に係る発明（以下「本件補正発明」という。）は、上記１（１）に記載したとおりのものである。
　
（２）引用文献の記載事項
ア　引用文献１
　原査定が引用した、本願の優先日前の２０１２年６月２７日に頒布された又は電気通信回線を通じて公衆に利用可能となった引用文献である、米国特許出願公開第２０１２／０１５３８４６号明細書（以下「引用文献１」という。）には、図面とともに、次の記載がある（下線は当審が付した。以下同じ。）。
（ア）「[0025]Referring to FIG. 1, showing a partial circuit diagram of a driving power control circuit for LEDs in accordance with an exemplary embodiment of the present invention. The driving power control circuit 500 as shown in FIG. 1 applied to power driving circuits of all kinds of flat-panel displays (e.g., liquid crystal displays, LCDs), drives a plurality of LED strings 302, 304,..., and 308 of a backlight module 300 of a flat-panel display. 
The driving power control circuit 500 includes a first power supply terminal S1, a second power supply terminal S2, a control unit 400, and a switch unit group 200. The first power supply terminal S1 provides a first output voltage. The second power supply terminal S2 provides a second output voltage. The switch unit group 200 includes a plurality of switch units 202, 204,..., and 208. Each of the switch units 202 - 208 is respectively electrically coupled between one of the LED strings 302 - 308 of the backlight module 300 and the second power supply terminal S2. The control unit 400 receives node voltages V
cs_1
, V
cs_2
,..., and V
cs_n
 between each of the switch units and corresponding LED strings, and outputs a plurality of adjusting signals including current adjusting signals I
set_1
, I
set_2
,..., and I
set_n
 and work cycle adjusting signals PWM_1, PWM_2,..., and PWM_n, for determining whether the corresponding switch units 202 - 208 are turned on.
（当審訳）「［００２５］図１を参照すると、本発明の例示的な実施形態によるＬＥＤの駆動電力制御回路の部分的な回路図を示す。全ての種類のフラットパネルディスプレイ（例えば、液晶ディスプレイ（ＬＣＤ））の駆動回路に加えて、第１図に示すように、
駆動電力制御回路５００は、フラットパネルディスプレイのバックライトモジュール３００のＬＥＤ列３０２、３０４、…、３０８を駆動する。駆動電力制御回路５００が、第１電力供給端子Ｓ１、第２電力供給端子Ｓ２、制御ユニット４００、及びスイッチユニットグループ２００を含む。第１電源端子Ｓ１は第１の出力電圧を提供する。第２電源端子Ｓ２は、第２の出力電圧を提供する。スイッチユニットグループ２００は、スイッチユニット２０２、２０４、・・・、２０８を備えている。スイッチユニット２０２−２０８のそれぞれは、バックライトモジュール３００のＬＥＤ列３０２−３０８の１つと第２電源端子Ｓ２の間に電気的に接続される。制御ユニット４００は、スイッチユニットと対応するＬＥＤ列との間のノード電圧Ｖ
ｃｓ＿１
、Ｖ
ｃｓ＿２
、・・・、Ｖ
ｃｓ＿ｎ
を受信し、電流調整信号Ｉ
ｓｅｔ＿１
、Ｉ
ｓｅｔ＿２
、・・・、Ｉ
ｓｅｔ＿ｎ
と作業周期調整信号ＰＷＭ＿１、ＰＷＭ＿２、…、ＰＷＭ＿ｎを含む複数の調整用信号を出力し、対応するスイッチユニット２０２−２０８がオンか否か決定する。
（イ）「[0026]FIG. 2 shows a circuit diagram of a control unit in accordance with an exemplary embodiment of the present invention. 
In this embodiment, the control unit 400 includes a voltage selecting module 100, subtractors 110, 112,..., and 118, and an adjusting module 150. The voltage selecting module 100 receives a plurality of node voltages V
cs_1
, V
cs_2
,..., and V
cs_n
, via conducting wires, selects minimum voltage from these node voltages, and outputs the minimum voltage as a reference node voltage V
cs_min
. The subtractors 110〜118 respectively receives node voltages V
cs_1
, V
cs_2
,..., and V
cs_n
, via conducting wires, makes the node voltages V
cs_1
, V
cs_2
,..., and V
cs_n
 to subtract the reference node voltage V
cs_min
 respectively, and outputs corresponding feedback voltages V
cs_f1
, V
cs_f2
,..., and V
cs_fn
. 
 The adjusting module 150 is electrically coupled to the subtractors 110〜118, to receive the feedback voltages V
cs_f1
, V
cs_f2
,..., and V
cs_fn
, and to determine contents of the corresponding current adjusting signals I
set_1
, I
set_2
,... and I
set_n
 and work cycle adjusting signals PWM_1, PWM_2,... and PWM_n according to the feedback voltages V
cs_n
, V
cs_f2
,... and V
cs_fn
.
［0027］Generally speaking, the number of the subtractors can be provided according to the number of the node voltages as shown in FIG. 2, to enable a subtractor to proceed with subtration operations according to the reference node voltage and a node voltage of a certain particular node, and output a corresponding feedback voltage.・・・（略）・・・
（当審注：「subtration」は「subtraction」の誤記と認められる。）
［0028］FIG. 3A shows a partial circuit block diagram of an adjusting module in accordance with an exemplary embodiment of the present invention. 
The adjusting module of this embodiment includes a plurality of partial circuits 120, and each of the partial circuit 120 corresponds to an input feedback voltage. Each of the partial circuit 120 includes a driving current adjusting module 152 and a work signal generating module 154. Take the partial circuit 120 corresponding to the feedback voltage V
cs_fn
 for an example, the driving current adjusting module 152 receives the feedback voltage V
cs_fn
, and determines the output current adjusting signal I
set_n
 according to the feedback voltage V
cs_fn
. The work signal generating module 154 is electrically coupled to the driving current adjusting module 152 to receive the current adjusting signal I
set_n
, and adjust state of the work cycle adjusting signal PWM_n according to the current adjusting signal I
set_n
.
（当審訳）「［００２６］図２は、本発明の例示的な実施形態に係る制御部の回路図を示す。
この実施形態では、制御ユニット４００は、電圧選択モジュール１００、減算器１１０、１１２、・・・、１１８、および調整モジュール１５０を備える。電圧選択モジュール１００は、複数のノード電圧Ｖ
ｃｓ＿１
、Ｖ
ｃｓ＿２
、・・・、Ｖ
ｃｓ＿ｎ
を導電性ワイヤを介して受け取り、これらのノード電圧から最小電圧を選択し、基準ノード電圧Ｖ
ｃｓ＿ｍｉｎ
として出力する。減算器１１０−１１８は、それぞれ、導線を介して、ノード電圧Ｖ
ｃｓ＿１
、Ｖ
ｃｓ＿２
、・・・、Ｖ
ｃｓ＿ｎ
を受け取り、ノード電圧Ｖ
ｃｓ＿１
、Ｖ
ｃｓ＿２
、・・・、Ｖ
ｃｓ＿ｎ
は、それぞれ基準ノード電圧Ｖ
ｃｓ＿ｍｉｎ
を減算することにより、対応するフィードバック電圧Ｖ
ｃｓ＿ｆ１
、Ｖ
ｃｓ＿ｆ２
、・・・、Ｖ
ｃｓ＿ｆｎ
を出力する。
調整モジュール１５０は減算処理部１１０〜１１８に電気的に接続され、フィードバック電圧Ｖ
ｃｓ＿ｆ１
、Ｖ
ｃｓ＿ｆ２
、・・・、Ｖ
ｃｓ＿ｆｎ
を受け、フィードバック電圧Ｖ
ｃｓ＿ｆ１
、Ｖ
ｃｓ＿ｆ２
、・・・、Ｖ
ｃｓ＿ｆｎ
に対応する電流信号Ｉ
ｓｅｔ＿１
、Ｉ
ｓｅｔ＿２
、・・・、Ｉ
ｓｅｔ＿ｎ
と周期調整信号ＰＷＭ＿１、ＰＷＭ＿２…ＰＷＭ＿ｎを決定する。
［００２７］一般的に言えば、減算器の数は、図２に示すように、ノード電圧の数に応じて設けられ、減算器は、基準ノード電圧とある特定のノードのノード電圧に応じて減算動作を継続することを可能にし、対応するフィードバック電圧を出力することができる。・・・（略）・・・
　
［００２８］図３Ａは、本発明の一実施の形態における調整モジュールの部分的な回路ブロック図を示す。
この実施例の調整モジュールは、複数の部分回路１２０を備えており、部分回路１２０のそれぞれは、入力されるフィードバック電圧に対応する。部分回路１２０の各々は、駆動電流調整モジュール１５２及び作業信号生成モジュール１５４を含む。例えば、フィードバック電圧Ｖ
ｃｓ＿ｆｎ
に対応する部分回路１２０、駆動電流調整モジュール１５２は、フィードバック電圧Ｖ
ｃｓ＿ｆｎ
を受け、フィードバック電圧Ｖ
ｃｓ＿ｆｎ
による出力電流調整信号Ｉ
ｓｅｔ＿ｎ
を決定する。信号生成モジュール１５４は、電気的駆動電流調整モジュール１５２に結合された電流調整信号Ｉ
ｓｅｔ＿ｎ
を受け、電流調整信号Ｉ
ｓｅｔ＿ｎ
によって作業周期調整信号ＰＷＭ＿ｎの状態を調整する。
（ウ）「[0029]Next, referring to FIG. 1, FIG. 3A, FIG. 3B, and FIG. 3C together, FIG. 3B shows a relationship graph between reference node voltage and currents flowing through the LED strings. FIG. 3C shows a relationship graph between currents flowing through the LED strings and work cycle adjusting signal required by corresponding switch unit. First, assuming the node voltage Vcs_1 is the minimum voltage of all the node voltages, the node voltage Vcs_1 will be the reference node voltage Vcs_min, and the corresponding LED driving current ILED will be current ILED_1 flowing through the LED string 302. 
Secondly, suggestion line L2 is parallel to line L1, and passes through work point P1, and line L1 is a linear relationship line between node voltages and currents flowing through the LED strings and the extension line of the linear relationship line. The work point P1 is selected at a point which keeps fixed current even if node voltages are affected by ripple of the first output voltage.
[0030]Now on the assumption that FIG. 3B is in the above-mentioned situation, then the work point P1 will correspond to the node voltage Vcs_1 and the current flowing through the LED string 302. 
At the beginning, current of each of the LED string (e.g., LED string 308 ) will be the same as the current I
LED_1
 of the LED string 302, thereby, resulting in the corresponding node voltage V
cs_n
 falls on voltage of the work point P2. In order to reduce unnecessary power loss, the driving current adjusting module 152 based on the work point P1, finds a new point of the LED string 304 on the right side of the suggestion line L2 (including the suggestion line L2 itself), whose voltage is less than the current node voltage V
cs_n
 and whose current is greater than the current I
LED_1
corresponding point whose voltage is minimum will fall on the suggestion line L2, thereby, the work point P4 or the work point P5 will be selected as a better new point.
[0031]
Assuming the work point P4 is chosen as a new point of the LED string 308 using the above-mentioned method, the LED string 308 will be adjusted to work at a state of its node voltage equaling to V
cs_n
 and its current equaling to I
LED_2
. Therefore, the driving current adjusting module 152 will output corresponding current adjusting signal I
set_n
 to drive the following corresponding switch unit 208. Finally, in order to stabilize output power, the work signal generating module 154 will also gets corresponding cycle adjusting signal PWM_n according to the current adjusting signal I
set_n
 output by the driving current adjusting module 152 and relationship graph as shown in FIG. 3C and outputs the corresponding cycle adjusting signal PWM_n.
（当審訳）「［００２９］次に、図１、図３Ａ、図３Ｂ、および図３Ｃを同時に参照すると、図３Ｂは、基準ノード電圧とＬＥＤ列に流れる電流との間の関係を示すグラフである。図３Ｃは、ＬＥＤ列に流れる電流とスイッチユニットに必要な作業サイクル調整信号の関係のグラフを示している。第１に、ノード電圧Ｖｃｓ＿１は、すべてのノード電圧の最小電圧であると仮定すると、ノード電圧Ｖｃｓ＿１は基準ノード電圧Ｖｃｓ＿ｍｉｎになり、対応するＬＥＤ駆動電流ＩＬＥＤは、ＬＥＤ列３０２を流れる電流ＩＬＥＤ＿１である。
第２に、ラインＬ２は、ラインＬ１に平行であるとともに、動作点Ｐ１を通過しており、ラインＬ１は、ノード電圧の間の線形関係のラインと、ＬＥＤ列を通って流れる電流との間の線形の関係線の延長線である。動作点Ｐ１は、ノード電圧が第１出力電圧のリップルの影響を受ける場合であっても、一定の電流を維持することができる点で選択される。
［００３０］図３Ｂは、上記のような状況にあると仮定して、動作点Ｐ１は、ノード電圧Ｖｃｓ＿１とＬＥＤ列３０２に流れる電流に対応する。
始めは、ＬＥＤ列（例えば、ＬＥＤ列３０８）の各々の電流はＬＥＤ列３０２の電流Ｉ
ＬＥＤ＿１
と同じである。それにより、対応するノード電圧Ｖ
ｃｓ＿ｎ
は、動作点Ｐ２の電圧になる。また、駆動電流調整モジュール１５２は、不要な電力損失を低減するために、現時点のノード電圧Ｖ
ｃｓ＿ｎ
よりも電圧が低く電流ＩＬＥＤ＿１よりも大きい、提案線Ｌ２（提案線Ｌ２自体を含む）の右側のＬＥＤ列３０４の新たな点を、点Ｐ１に基づいて求める。
最小電圧が対応する点は、提案線Ｌ２上に当たり、これにより、動作点Ｐ４又はＰ５が良好な新たな点として選択されることになる。
［００３１］
上述した方法を使用して動作点Ｐ４がＬＥＤ列３０８の新しい点として選択されると仮定すると、ＬＥＤ列３０８はノード電圧がＶ
ｃｓ＿ｎ’
、電流がＩ
ＬＥＤ＿２
の状態に調整される。したがって、駆動電流調整モジュール１５２は、対応する電流調整信号Ｉ
ｓｅｔ＿ｎ
を出力し、次の対応するスイッチユニット２０８を駆動する。最後に、出力電力を安定化させるために、信号生成モジュール１５４については、駆動電流調整モジュール１５２によって出力された電流信号Ｉ
ｓｅｔ＿ｎ
と、図３Ｃに示すような関係図によって対応する周期調整信号ＰＷＭ＿ｎを得て、対応する周期調整信号ＰＷＭ＿ｎを出力する。
（エ）「[0032]Next, please refer to FIG. 4, showing a partial circuit diagram of a switch unit group in accordance with an exemplary embodiment of the present invention. As shown in FIG. 4,
 the switch unit group 200 of this embodiment includes a plurality of switch units 202,..., and 208 having the same circuit structures. The switch unit 202 includes a transistor T1, a resistor R1, and a comparator C1.
[0033]In the switch unit 202, a drain 10 of the transistor T1 is electrically coupled to an end (low voltage end) of the corresponding LED string 302. The resistor R1 includes a first pathway terminal 20 and a second pathway terminal 22. The first pathway terminal 20 is electrically coupled to a source 14 of the transistor T1. The second pathway terminal 22 is electrically coupled to the second power supply terminal S2. The comparator C1 includes a first comparison data input terminal 16, a second comparison data input terminal 18, and an comparison result output terminal 26. The comparison result output terminal 26 is electrically coupled to a gate (also called a control terminal) 12 of the transistor T1. The first comparison data input terminal 16 receives the current adjusting signal Iset_1. The second comparison data input terminal 18 is electrically coupled to the source 14 of the transistor T1.
[0034]In operation, assuming voltage level of the first comparison data input terminal 16 of the comparator C1 is greater than voltage level of the second comparison data input terminal 18, when the comparator C1 is enabled, the comparison result output terminal 26 will be at a high level state. 
At this time, whether the transistor T1 is turned on will be controlled by the cycle adjusting signal PWM_ 1. In other words, only when the cycle adjusting signal PWM_ 1 is enabled, the comparator C1 will be enabled to make the comparison result output terminal 26 to output a high level voltage, and the transistor T1 can be turned on.
[0035]・・・（略）・・・
Therefore, when to increase the current flowing through the LED string 302, the voltage level of the current adjusting signal I
set_1
 will rise to be greater than the original node voltage V
cs_1
, and thereby making turning on or off state of the transistor T1 can be controlle by the cycle adjusting signal PWM_1. When to decrease the current flowing through the LED string 302, 
（当審訳）「［００３２］次に、図４を参照すると、
本発明の例示的な実施形態によるスイッチユニットグループの部分回路図を示す。図４に示すように、本実施形態のスイッチユニットグループ２００は、同一の回路構成を有するスイッチユニット２０２、・・・、２０８を備えている。スイッチユニット２０２は、トランジスタＴ１と、抵抗Ｒ１と、比較器Ｃ１から構成されている。
［００３３］スイッチユニット２０２において、トランジスタＴ１のドレイン１０は、対応するＬＥＤ列３０２の端部（低電圧端部）に電気的に接続されている。抵抗Ｒ１は、第１の経路端子２０と、第２の経路端子２２とを含む。第１の経路端子２０は、トランジスタＴ１のソース１４に電気的に接続されている。第２の経路端子２２は、第２の電源端子Ｓ２に電気的に接続されている。比較器Ｃ１は、第１の比較データ入力端子１６と、第２の比較データ入力端子１８と、比較結果出力端子２６とを備えている。比較結果出力端子２６は、トランジスタＴ１のゲート（制御端子ともいう）１２に電気的に接続されている。第１比較データ入力端子１６には、電流調整信号Ｉｓｅｔ＿１が入力される。第２の比較データ入力端子１８は、トランジスタＴ１のソース１４に電気的に接続されている。
［００３４］動作では、比較器Ｃ１の第１の比較データ入力端１６の電位が第２の比較データ入力端子１８の電圧レベルよりも大きいと仮定すると、比較器Ｃ１がイネーブルされると、比較結果出力端子２６はハイレベル状態になる。
このとき、トランジスタＴ１がターンオンされるか否かは周期調整信号ＰＷＭ＿１によって制御される。換言すれば、周期調整信号ＰＷＭ＿１がイネーブルである場合にのみ、比較器Ｃ１は比較結果出力端子２６はハイレベルの電圧を出力することを可能にするとともに、トランジスタＴ１はターンオンすることができる。
［００３５］・・・（略）・・・
したがって、ＬＥＤ列３０２に流れる電流を増加させる場合、電流調整信号Ｉ
ｓｅｔ＿１
の電圧レベルを元のノード電圧Ｖ
ｃｓ＿１
より大きくして、トランジスタＴ１のオン／オフ状態を周期調整信号ＰＷＭ＿１で制御することができる。
（オ）「[0037]When to adjust the driving current flowing through the corresponding LED string according to the feedback voltage, firstly, a fixed slope suggestion line should be provided in characteristic curve of driving currents to node voltages of the LED string, and driving current corresponding to the feedback voltage on the suggestion line should be found according to the above-mentioned feedback voltage. 
Then the work time of the LED string is adjusted according to the got driving current, in order to make the LED string provide default brightness.
[0038]
It should be noticed that when to find the driving current corresponding to the feedback voltage, only to find any point whose voltage difference between the voltage level of the benchmark point originally set (e.g., the work point P1 as shown in FIG. 3B ) is within the corresponding voltage on the right side of the suggestion line (including the suggestion line itself).
（当審訳）「［００３７］フィードバック電圧に応じてＬＥＤ列へ流れる駆動電流を調整する際には、先ず、ＬＥＤ列のノード電圧と駆動電流の特性曲線において、固定された傾斜した提案線が提供されるべきであり、提案線上のフィードバック電圧に応じた駆動電流が、前記フィードバック電圧に応じて見出されなければならない。
そして、ＬＥＤ列の動作時間は、取得された駆動電流に応じて、ＬＥＤ列がデフォルト輝度を提供するように調整される。
［００３８］
フィードバック電圧に対応する駆動電流を求める場合には、本来設定されている基準点（例えば、図３Ｂに示すように動作点Ｐ１）の電圧との差が提案線（提案線自体を含む）の右側の対応する電圧の範囲内にある点を見つけるだけでよい。
（カ）図面は、以下のとおりである。
図１
図２
図３Ａ
図３Ｂ　　　　　　　　　　　　図３Ｃ
図４
（キ）上記（ア）及び図１から、次のことが理解できる。
「本発明の実施形態の駆動電力制御回路５００は、ｎ個のＬＥＤ列の駆動を制御するものであって、
　第１の出力電圧が提供され、ｎ個のＬＥＤ列が接続される第１電力供給端子Ｓ１と、
　第２の出力電圧が提供される第２電力供給端子Ｓ２と、
　ｎ個のＬＥＤ列のそれぞれと第２電源端子Ｓ２との間に直列に接続され、各ＬＥＤ列に流れる電流を調整するｎ個のスイッチユニットと、
　各スイッチユニットと対応するＬＥＤ列との間の各ノード電圧Ｖｃｓ＿ｎを受け取り、対応するスイッチユニットに対して、電流調整信号Ｉｓｅｔ＿ｎと周期調整信号ＰＷＭ＿ｎを含む調整用信号を出力する制御ユニット４００と、
　を備えること。」
（ク）上記（イ）及び図２、図３Ａから、次のことが理解できる。
「制御ユニット４００は、電圧選択モジュール１００、ｎ個の減算器、および調整モジュール１５０を備え、
　電圧選択モジュール１００は、ｎ個のノード電圧Ｖｃｓ＿ｎのうち、最小電圧のものを選択して、基準ノード電圧Ｖｃｓ＿ｍｉｎとして、ｎ個の減算器に出力するものであり、
　各減算器は、各ノード電圧Ｖｃｓ＿ｎから、それぞれ基準ノード電圧Ｖｃｓ＿ｍｉｎを減算することにより、対応するｎ個のフィードバック電圧Ｖｃｓ＿ｆｎを調整モジュール１５０に出力するものであり、
　調整モジュール１５０は、各フィードバック電圧Ｖｃｓ＿ｆｎを受け取り、各フィードバック電圧Ｖｃｓ＿ｆｎに対応する電流調整信号Ｉｓｅｔ＿ｎと各電流調整信号Ｉｓｅｔ＿ｎに対応する周期調整信号ＰＷＭ＿ｎを決定し、電流調整信号Ｉｓｅｔ＿ｎと周期調整信号ＰＷＭ＿ｎとを対応するスイッチユニットに出力して、対応するスイッチユニットを駆動させるものであること。」
（コ）上記（ク）に加え、上記（ウ）〜（オ）及び図３Ｂ、図３Ｃから、次のことが理解できる。
「調整モジュール１５０は、フィードバック電圧Ｖｃｓ＿ｆｎに対応する出力電流調整信号Ｉｓｅｔ＿ｎを決定する際に、出力電流調整信号Ｉｓｅｔ＿ｎとすることにより対応するＬＥＤ列に流れる電流ＩＬＥＤ＿２と基準ノード電圧との間の関係のグラフを参照し、不要な電力損失を低減するために、現時点のノード電圧Ｖｃｓ＿ｎよりも電圧が低くなるようなノード電圧であって、基準（最小値）となるノード電圧Ｖｃｓ＿１との差が提案線Ｌ２（提案線自体を含む）の右側の対応する電圧の範囲内にあるノード電圧Ｖｃｓ＿ｎ’を選択すること。」、及び、
「調整モジュール１５０は、各ＬＥＤ列がデフォルト輝度を有するように、基準（最小値）となる電流ＩＬＥＤ＿１と出力電流調整信号Ｉｓｅｔ＿ｎとすることにより対応するＬＥＤ列に流れる電流ＩＬＥＤ＿２とに応じて、各ＬＥＤ列の動作時間を調整する周期調整信号ＰＷＭ＿ｎを決定すること。」
（サ）以上のとおりであるから、引用文献１には、次の発明（以下「引用発明」という。）が記載されていると認められる。
「フラットパネルディスプレイのバックライトモジュール３００のｎ個のＬＥＤ列の駆動を制御する駆動電力制御回路５００であって、
　第１の出力電圧が提供され、ｎ個のＬＥＤ列が接続される第１電力供給端子Ｓ１と、
　第２の出力電圧が提供される第２電力供給端子Ｓ２と、
　ｎ個のＬＥＤ列のそれぞれと第２電源端子Ｓ２との間に直列に接続され、各ＬＥＤ列に流れる電流を調整するｎ個のスイッチユニットと、
　各スイッチユニットと対応するＬＥＤ列との間の各ノード電圧Ｖｃｓ＿ｎを受け取り、対応するスイッチユニットに対して、電流調整信号Ｉｓｅｔ＿ｎと周期調整信号ＰＷＭ＿ｎを含む調整用信号を出力する制御ユニット４００と、
　を備える、駆動電力制御回路５００において、
　制御ユニット４００は、電圧選択モジュール１００、ｎ個の減算器、および調整モジュール１５０を備え、
　電圧選択モジュール１００は、ｎ個のノード電圧Ｖｃｓ＿ｎのうち、最小電圧のものを選択して、基準ノード電圧Ｖｃｓ＿ｍｉｎとして、ｎ個の減算器に出力するものであり、
　各減算器は、各ノード電圧Ｖｃｓ＿ｎから、それぞれ基準ノード電圧Ｖｃｓ＿ｍｉｎを減算することにより、対応するｎ個のフィードバック電圧Ｖｃｓ＿ｆｎを調整モジュール１５０に出力するものであり、
　調整モジュール１５０は、各フィードバック電圧Ｖｃｓ＿ｆｎを受け取り、各フィードバック電圧Ｖｃｓ＿ｆｎに対応する電流調整信号Ｉｓｅｔ＿ｎと各電流調整信号Ｉｓｅｔ＿ｎに対応する周期調整信号ＰＷＭ＿ｎを決定し、電流調整信号Ｉｓｅｔ＿ｎと周期調整信号ＰＷＭ＿ｎとを対応するスイッチユニットに出力して、駆動させるものであり、
　調整モジュール１５０は、フィードバック電圧Ｖｃｓ＿ｆｎに対応する出力電流調整信号Ｉｓｅｔ＿ｎを決定する際に、出力電流調整信号Ｉｓｅｔ＿ｎとすることにより対応するＬＥＤ列に流れる電流ＩＬＥＤ＿２と基準ノード電圧との間の関係のグラフを参照し、不要な電力損失を低減するために、現時点のノード電圧Ｖｃｓ＿ｎよりも電圧が低くなるようなノード電圧であって、基準（最小値）となるノード電圧Ｖｃｓ＿１との差が提案線Ｌ２（提案線自体を含む）の右側の対応する電圧の範囲内にあるノード電圧Ｖｃｓ＿ｎ’を選択し、
　調整モジュール１５０は、各ＬＥＤ列がデフォルト輝度を有するように、基準（最小値）となる電流ＩＬＥＤ＿１と出力電流調整信号Ｉｓｅｔ＿ｎとすることにより対応するＬＥＤ列に流れる電流ＩＬＥＤ＿２とに応じて、各ＬＥＤ列の動作時間を調整する周期調整信号ＰＷＭ＿ｎを決定する、
　駆動電力制御回路５００。」
（３）引用発明との対比
　本件補正発明と引用発明とを対比する。
ア　本件補正発明の「複数のＬＥＤアレイを駆動するＬＥＤ駆動装置」との発明特定事項について
　引用発明の「フラットパネルディスプレイのバックライトモジュール３００のｎ個のＬＥＤ列を駆動する駆動電力制御回路５００」は、本件補正発明の「前記複数のＬＥＤアレイを駆動するＬＥＤ駆動装置」に相当する。
イ　本件補正発明の「前記複数のＬＥＤアレイに駆動電圧を提供するＤＣ−ＤＣコンバーター」との発明特定事項について
　引用発明の「第１電力供給端子Ｓ１」は、ｎ個のＬＥＤ列が接続され、第１の出力電圧を提供する回路の一部であるから、本件補正発明と引用発明とは、「前記複数のＬＥＤアレイに駆動電圧を提供する回路」を備える点で共通する。
　しかし、引用発明において、「第１電力供給端子Ｓ１」に本件補正発明のような「ＤＣ−ＤＣコンバーター」が接続されるか否かは不明である。
ウ　本件補正発明の「前記複数のＬＥＤアレイの各々に直列接続され、前記複数のＬＥＤアレイの各々に流れる駆動電流の大きさを可変できる、複数のスイッチング部」との発明特定事項について
　引用発明の「ｎ個のＬＥＤ列のそれぞれと第２電源端子Ｓ２との間に直列に接続され、各ＬＥＤ列に流れる電流を調整するｎ個のスイッチユニット」は、本件補正発明の「前記複数のＬＥＤアレイの各々に直列接続され、前記複数のＬＥＤアレイの各々に流れる駆動電流の大きさを可変できる、複数のスイッチング部」に相当する。
エ　本件補正発明の「制御部」との発明特定事項について
（ア）本件補正発明の「制御部」をさらに特定する「前記複数のＬＥＤアレイの各々に対する明るさ情報を受け取り、前記受け取った明るさ情報に基づいて前記複数のＬＥＤアレイの各々の平均駆動電流を計算し」との発明特定事項について
　引用発明の「制御ユニット４００」は、本件補正発明の「制御部」に相当する。
　引用発明では、「各ＬＥＤ列がデフォルト輝度を有するように、基準（最小値）となる電流ＩＬＥＤ＿１と出力電流調整信号Ｉｓｅｔ＿ｎとすることにより対応するＬＥＤ列に流れる電流ＩＬＥＤ＿２とに応じて、各ＬＥＤ列の動作時間を調整する周期調整信号ＰＷＭ＿ｎを決定する」のであるから、引用発明の「基準（最小値）となる電流ＩＬＥＤ＿１」は、本件補正発明の「平均駆動電流」に相当し、そのときの各ＬＥＤ列の輝度である「デフォルト輝度」が「明るさ情報」に相当する。
　したがって、本件補正発明と引用発明とは、「前記複数のＬＥＤアレイの各々に対する明るさ情報に基づいて前記複数のＬＥＤアレイの各々の平均駆動電流を計算し」との点で共通する。
　しかし、引用発明における「デフォルト輝度」が「受け取った」ものであるか否かは明らかでない。
（イ）本件補正発明の「制御部」をさらに特定する「前記複数のスイッチング部の各々が予め設定されたヘッドルーム電圧範囲内で動作するように、前記複数のＬＥＤアレイの各々の駆動電流を計算し」との発明特定事項について
　引用発明の「ノード電圧Ｖｃｓ＿ｎ」は、スイッチユニットとＬＥＤ列との間の電圧であるから、本件補正発明の「ヘッドルーム電圧」に相当する。
　そして、引用発明において、調整モジュール１５０は、電流調整信号Ｉｓｅｔ＿ｎを決定するものであるから、引用発明の「調整モジュール１５０」は、本件補正発明と同様に、「複数のＬＥＤアレイの各々の駆動電流を計算」するものである。
　また、「複数のＬＥＤアレイの各々の駆動電流を計算」する際に、引用発明は、「出力電流調整信号Ｉｓｅｔ＿ｎとすることにより対応するＬＥＤ列に流れる電流ＩＬＥＤ＿２と基準ノード電圧との間の関係のグラフを参照し、不要な電力損失を低減するために、現時点のノード電圧Ｖｃｓ＿ｎよりも電圧が低くなるようなノード電圧であって、基準（最小値）となるノード電圧Ｖｃｓ＿１との差が提案線Ｌ２（提案線自体を含む）の右側の対応する電圧の範囲内にあるノード電圧Ｖｃｓ＿ｎ’を選択し」決定するものである。
　そうすると、上記の際に選択されるノード電圧Ｖｃｓ＿ｎ’は、上記グラフにおけるＬＥＤ列に流れる電流ＩＬＥＤ＿２に関する線上であって、提案線Ｌ２上の点を下限値とし、基準（最小値）となるノード電圧Ｖｃｓ＿１とのよりも大きな任意の値を上限値とする範囲内で設定されるから、引用発明においても、複数のＬＥＤアレイの各々の駆動電流は、本件補正発明と同様に、「複数のスイッチング部の各々が予め設定されたヘッドルーム電圧範囲内で動作するように」計算されているものである。
　したがって、引用発明と本件補正発明とは、「前記複数のスイッチング部の各々が設定されたヘッドルーム電圧範囲内で動作するように、前記複数のＬＥＤアレイの各々の駆動電流を計算し」との点で共通する。
　しかし、引用発明においては、上記範囲が予め決められているか否かは明らかではない。
（ウ）本件補正発明の「制御部」をさらに特定する「前記計算された平均駆動電流及び前記計算された駆動電流に基づいて、前記複数のＬＥＤアレイの各々について平均輝度を維持するように、前記複数のＬＥＤアレイの各々に対応するスイッチング部のデューティサイクル（ｄｕｔｙ　ｃｙｃｌｅ）を計算し」との発明特定事項について
　引用発明の「基準（最小値）となる電流ＩＬＥＤ＿１」及び「出力電流調整信号Ｉｓｅｔ＿ｎとすることにより対応するＬＥＤ列に流れる電流ＩＬＥＤ＿２」は、それぞれ本件補正発明の「前記計算された平均駆動電流」及び「前記計算された駆動電流」に相当する。
　また、引用発明の「各ＬＥＤ列の動作時間を調整する周期調整信号ＰＷＭ＿ｎ」は、本件補正発明の「前記複数のＬＥＤアレイの各々に対応するスイッチング部のデューティサイクル（ｄｕｔｙ　ｃｙｃｌｅ）」に相当する。
　そして、本件補正発明の「平均輝度」は「明るさ情報」に対応するものであることは明らかであることから、引用発明の「デフォルト輝度」は、本件補正発明の「平均輝度」または「明るさ情報」に相当する。
　したがって、引用発明と本件補正発明とは、上記（ウ）の事項で一致する。
（エ）本件補正発明の「制御部」をさらに特定する「前記計算された駆動電流及び前記計算されたデューティサイクルに基づいて前記複数のスイッチング部を制御する」との発明特定事項について
　上記（ア）〜（ウ）で検討したとおりであるから、引用発明の「制御ユニット４００」と本件補正発明の「制御部」とは、「前記計算された駆動電流及び前記計算されたデューティサイクルに基づいて前記複数のスイッチング部を制御する」点で一致する。
オ　本件補正発明の「前記ヘッドルーム電圧範囲は、ディスプレイ装置の動作モードに基づいて変更される」との発明特定事項について
　引用発明は、ヘッドルーム電圧範囲がディスプレイ装置の動作モードに基づいて変更されるか否かについては不明である。
カ　以上のことから、本件補正発明と引用発明との一致点及び相違点は、次のとおりである。
・一致点
「複数のＬＥＤアレイを駆動するＬＥＤ駆動装置であって、
　前記複数のＬＥＤアレイに駆動電圧を提供する回路と、
　前記複数のＬＥＤアレイの各々に直列接続され、前記複数のＬＥＤアレイの各々に流れる駆動電流の大きさを可変できる、複数のスイッチング部と、
　前記複数のＬＥＤアレイの各々に対する明るさ情報に基づいて前記複数のＬＥＤアレイの各々の平均駆動電流を計算し、
　前記複数のスイッチング部の各々が設定されたヘッドルーム電圧範囲内で動作するように、前記複数のＬＥＤアレイの各々の駆動電流を計算し、
　前記計算された平均駆動電流及び前記計算された駆動電流に基づいて、前記複数のＬＥＤアレイの各々について平均輝度を維持するように、前記複数のＬＥＤアレイの各々に対応するスイッチング部のデューティサイクル（ｄｕｔｙ　ｃｙｃｌｅ）を計算し、
　前記計算された駆動電流及び前記計算されたデューティサイクルに基づいて前記複数のスイッチング部を制御する、制御部と、
　を備え、
　前記ヘッドルーム電圧範囲は、ディスプレイ装置の動作モードに基づいて変更される、
　ＬＥＤ駆動装置。」
・相違点１
　前記複数のＬＥＤアレイに駆動電圧を提供する回路として、本件補正発明では「ＤＣ−ＤＣコンバーター」を備えるのに対して、引用発明では、「第１電力供給端子Ｓ１」に、本件補正発明のような「ＤＣ−ＤＣコンバーター」が接続されるか否かは不明である点。
・相違点２
　ヘッドルーム電圧範囲が、本件補正発明では、「予め」設定されているのに対し、引用発明では、そのようなことが不明である点。
・相違点３
　複数のＬＥＤアレイの各々に対する明るさ情報は、本件補正発明では、制御部が「受け取」るものであるのに対し、引用発明では、制御部が「受け取」るものであるか否か不明である点。
・相違点４
　ヘッドルーム電圧範囲が、本件補正発明では、「ディスプレイ装置の動作モードに基づいて変更される」のに対し、引用発明では、そのようなことが不明である点。
（４）判断
　以下、相違点について検討する。
ア　相違点１について
　駆動電圧をＤＣ−ＤＣコンバーターにより提供されるものとすることは、例えば、引用文献２（原査定が引用した特開２０１０−１８２８８３号公報。【００１９】、図１を参照。）、引用文献３（原査定が引用した特開２００９−２８３５４２号公報。【００２７】、図１を参照。）に記載されているように、本願の優先日前に周知の事項である。
　したがって、引用発明における第１電力供給端子Ｓ１にＤＣ−ＤＣコンバーターに接続して、ＤＣ−ＤＣコンバーターでＬＥＤ列に駆動電圧を提供することは、当業者が容易になし得ることである。
イ　相違点２について
　引用発明においては、上記（３）エ（イ）で指摘したように、出力電流調整信号Ｉｓｅｔ＿ｎとすることにより対応するＬＥＤ列に流れる電流ＩＬＥＤ＿２」とする際に選択されるノード電圧Ｖｃｓ＿ｎ’は、「出力電流調整信号Ｉｓｅｔ＿ｎとすることにより対応するＬＥＤ列に流れる電流ＩＬＥＤ＿２と基準ノード電圧との間の関係のグラフ」を参照し、上記グラフにおける上記ＬＥＤ列に流れる電流ＩＬＥＤ＿２に関する線上であって、提案線Ｌ２上の点を下限値とし、任意の基準（最小値）となるノード電圧Ｖｃｓ＿１とのよりも大きな任意の値を上限値とする範囲内で設定されるものである。
　ここで、任意の数値（例えば、電流）から他の数値（例えば、電圧）を選択するような処理を制御回路において具現化するに当たって、当該処理を迅速にすること等を目的として、その関係のグラフ自体を用いるのではなく、その関係を表にしたテーブル等を予め用意しておくことは常套手段である。
　そうすると、引用発明において、「出力電流調整信号Ｉｓｅｔ＿ｎとすることにより対応するＬＥＤ列に流れる電流ＩＬＥＤ＿２と基準ノード電圧との間の関係」に従って、ＬＥＤ列に流れる電流ＩＬＥＤ＿２に対応するノード電圧Ｖｃｓ＿ｎ’の設定可能な範囲（最小値、最大値）を示すテーブル等を記憶する等して、調整モジュール１５０に予め設定しておくことは、当業者が適宜なし得ることである。
ウ　相違点３及び４について
（ア）　本件補正発明において、「複数のＬＥＤアレイの各々に対する明るさ情報を受け取り」とは、どこから受け取る情報であるのか、また、「前記ヘッドルーム電圧範囲は、ディスプレイ装置の動作モードに基づいて変更される」とは、どのような事項を意味しているのかは、必ずしも明らかとはいえないところ、本願の発明の詳細な説明には、以下の記載がある。
ａ「【００５３】
　・・・（略）・・・本実施形態では、外部から明るさ情報を受け取ってこれに基づいてリファレンス制御機２１０が平均電流を計算すると説明したが、具現時には、外部から直接複数のＬＥＤアレイ１２０の各々の平均電流を受け取る形態により具現化されることができる。また、外部からディスプレイ装置（図示せず）の動作モードの情報を受け取り、受け取った動作モードに対応する予め格納されたＬＥＤアレイの明るさ情報を利用して、複数のＬＥＤアレイの各々の平均電流を計算する形態によっても具現化されることができる。」
ｂ「【００５４】
　そして、リファレンス制御機２１０は、予め設定されたヘッドルーム電圧範囲の上限電圧値Ｖｔｈ＿ｈ及び下限電圧値Ｖｔｈ＿ｌを生成できる。ここで、予め設定されたヘッドルーム電圧範囲は、外部装置から入力されることができ、予め格納されていることができる。具体的に、リファレンス制御機２１０は、ディスプレイ装置（図示せず）の動作モードに対応する複数のヘッドルーム電圧範囲を格納しており、外部からディスプレイ装置の動作モードが入力されると、入力された動作モードに対応するヘッドルーム電圧範囲の上限電圧値Ｖｔｈ＿ｈ及び下限電圧値Ｖｔｈ＿ｌを出力できる。
ｃ「【００７１】
　複数のＬＥＤアレイの各々に対する明るさ情報を受け取る（Ｓ６１０）。・・・（略）・・・外部からディスプレイ装置（図示せず）の動作モードの情報を受け取り、受け取った動作モードに対応する予め格納されたＬＥＤアレイの明るさ情報を生成する形態によっても具現化されることができる。
　【００７２】
　受け取った明るさ情報に基づいて、複数のＬＥＤアレイの各々の平均駆動電流を計算する（Ｓ６２０）。・・・（略）・・・
【００７５】
　そして、複数のスイッチング部の各々が予め設定されたヘッドルーム電圧範囲内で動作するように複数のＬＥＤアレイに供給される駆動電圧を計算できる（Ｓ６３０）。具体的に、複数のＬＥＤアレイのうち、順方向電圧が最も大きなＬＥＤアレイの電圧と予め設定されたヘッドルーム電圧範囲の下限電圧との和を計算できる。」
（イ）上記（ア）ａ〜ｃから、本件補正発明における「ディスプレイ装置の動作モード」とは、「ディスプレイ装置」の明るさが異なる状態を意味しており、「ディスプレイ装置の動作モード」が変更されるとは、すなわち、「ディスプレイ装置」の明るさを変更することと理解できる。
　そうすると、本件補正発明における「複数のＬＥＤアレイの各々に対する明るさ情報を受け取り」とは、「ディスプレイ装置の動作モード」が変更されることに伴って、「制御部」が「ＬＥＤアレイの明るさ情報」を受け取ることを意味し、本件補正発明における「前記ヘッドルーム電圧範囲は、ディスプレイ装置の動作モードに基づいて変更される」とは、「ＬＥＤアレイの明るさ情報」を受け取った「制御部」が、該「ＬＥＤアレイの明るさ情報」に基づいて平均駆動電流を計算するとともに、これに基づいて「ヘッドルーム範囲」を変更することを意味していると理解できる。
（ウ）上記理解に基づいて、相違点３及び４について以下検討する。
　ディスプレイ装置が、ユーザの希望に応じて、明るさが異なる状態に設定し得るものであることは、例えば、引用文献４（原査定が引用した特開２０１０−２４４８１５号公報。【００２７】及び【００３１】を参照。）に記載されているように、本願の優先日前に広く知られた技術常識であるから、引用発明において、「デフォルト輝度」をユーザが設定可能なものとすることは、当業者であれば適宜なし得ることであって、その際には、引用発明の「制御ユニット４００」が「デフォルト輝度」を外部から受け取ることとなる。
　また、引用発明が、本願補正発明と同じく、各ＬＥＤ列に流れる電流ＩＬＥＤ＿２に応じてヘッドルーム電圧を決定することものであることを踏まえれば、上記のように「デフォルト輝度」を外部から受け取るものとした場合に、「ディスプレイ装置の動作モード」、すなわち「ＬＥＤアレイの明るさ情報」に基づいて「ヘッドルーム範囲」が変更されるものとなることは、明らかである。
　したがって、引用発明を上記相違点３及び４に係る発明特定事項を備えたものとなすことは、当業者が容易になし得ることである。
エ　そして、これらの相違点を総合的に勘案しても、本件補正発明の奏する作用効果は、引用発明及び上記周知技術の奏する作用効果から予測される範囲内のものにすぎず、格別顕著なものということはできない。
オ　したがって、本件補正発明は、引用発明及び上記周知技術に基づいて、当業者が容易に発明をすることができたものであり、特許法２９条２項の規定により、特許出願の際独立して特許を受けることができないものである。
３　本件補正についてのむすび
　以上のとおり、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
第３　本願発明について
１　本願発明
　平成３０年２月１６日にされた手続補正は、上記のとおり却下されたので、本願の請求項に係る発明は、平成２９年６月２８日にされた手続補正により補正された特許請求の範囲の請求項１ないし１４に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、この出願の請求項１に係る発明は、本願の優先日前に頒布された又は電気通信回線を通じて公衆に利用可能となった下記の引用文献１に記載された発明及び周知技術に基づいて、その出願前にその発明の属する技術の分野における通常の知識を有する者が容易に発明をすることができたものであるから、特許法２９条２項の規定により特許を受けることができない、というものである。
１．米国特許出願公開第２０１２／０１５３８４６号明細書
２．特開２０１０−１８２８８３号公報（周知技術を示す文献）
３．特開２００９−２８３５４２号公報（周知技術を示す文献）
４．特開２００８−２６２９６６号公報（周知技術を示す文献）
５．米国特許出願公開第２０１１／００６２８７２号明細書（周知技術を示す文献）
６．特開２００６−２１６３０４号公報（周知技術を示す文献）
７．特開２０１０−２４４８１５号公報（周知技術を示す文献）
３　引用文献
　原査定の拒絶の理由で引用された引用文献１及びその記載事項は、前記第２の［理由］２（２）に記載したとおりである。
　
４　対比・判断
　本願発明は、前記第２の［理由］２で検討した本件補正発明から、上記第２の２で指摘した限定事項を削除したものである。
　そうすると、本願発明の発明特定事項を全て含み、さらに他の事項を付加したものに相当する本件補正発明が、前記第２の［理由］２（３）、（４）に記載したとおり、引用発明に基づいて、当業者が容易に発明をすることができたものであるから、本願発明も、引用発明に基づいて、当業者が容易に発明をすることができたものである。
　
第４　むすび
　以上のとおり、本願発明は、特許法２９条２項の規定により特許を受けることができないから、他の請求項に係る発明について検討するまでもなく、本願は拒絶されるべきものである。
　よって、結論のとおり審決する。